(57)【特許請求の範囲】
【請求項１】
上層の硬質樹脂層（１１）と下層の軟質樹脂層（１２）の上下２層を有する保護盾部（２）と、
上層の表皮（１４）と下層の発泡体（１３）を有する本体部（１）と、
靴（２８）への取着手段（５０）とを、備え、
上記本体部（１）の上面に上記保護盾部（２）を重ね合せて縫着して、二重被覆構造体を形成したことを特徴とする足上面安全保護具。
【請求項２】
硬質樹脂層（１１）の１層から成る保護盾部（２）と、
上層の表皮（１４）と下層の発泡体（１３）を有する本体部（１）と、
靴（２８）への取着手段（５０）とを、備え、
上記本体部（１）の上面に上記保護盾部（２）を重ね合せて縫着して、二重被覆構造体を形成したことを特徴とする足上面安全保護具。
【請求項３】
上記取着手段（５０）は、
本体部（１）の後縁部（１Ａ）の左右中央位置に取着されて、本体部（１）の裏面（１０）の左右中央に沿って前方へ延伸状として配設された取付帯片（４）と、上記裏面（１０）の少くとも前後中間乃至前端近傍に形成された面状ファスナ雌部（６）と、該面状ファスナ雌部（６）に係合するように上記取付帯片（４）の少くとも先端に形成された面状ファスナ雄部（５）とを、具備し、上記取付帯片（４）を靴ひも（３０）またはフラップ（３０Ａ）の下を通して、上記面状ファスナ雌部（６）と面状ファスナ雄部（５）を相互に係合止着して、靴（２８）の上面に取付けるように構成した請求項１又は２記載の足上面安全保護具。
【請求項４】
上記取着手段（５０）は、
上面に面状ファスナ雄部（５）を略全面に渡って有すると共に、靴ひも（３０）又はフラップ（３０Ａ）の下方に差込まれる独立した取付帯片（４Ａ）と、上記本体部（１）の下面の略全面又は少くとも左右中央に沿った帯状領域に設けられた面状ファスナ雌部（６）とを、具備し、
上記靴ひも（３０）又はフラップ（３０Ａ）を下方と上方から挟圧状に保持して、靴（２８）の上面に取付けるように構成した請求項１又は２記載の足上面安全保護具。
【請求項５】
上記取着手段（５０）は、
上面に面状ファスナ雄部（５）を略全面に渡って有すると共に、後端又は前端が本体部（１）の後縁部（１Ａ）又は前縁部（１Ｂ）に固着されて、靴ひも（３０）又はフラップ（３０Ａ）の下方に差込まれる取付帯片（４Ａ）と、上記本体部（１）の下面の略全面又は少くとも左右中央に沿った帯状領域に設けられた面状ファスナ雌部（６）とを、具備し、
上記靴ひも（３０）又はフラップ（３０Ａ）を下方と上方から挟圧状に保持して、靴（２８）の上面に取付けるように構成した請求項１又は２記載の足上面安全保護具。
【請求項６】
上記取着手段（５０）は、
前端が本体部（１）の前縁部（１Ｂ）に縫着されると共に、後端上面に面状ファスナ雄部（５）を有し、さらに、上面の残部には面状ファスナ雌部（６）が設けられた取付帯片（４Ｂ）を、有し、
上記取付帯片（４Ｂ）を、靴ひも（３０）又はフラップ（３０Ａ）を巻込むように折曲げて、上記面状ファスナ雄部（５）と面状ファスナ雌部（６）の係合にて、取付帯片（４Ｂ）を閉ループ状態として、上記靴ひも（３０）又はフラップ（３０Ａ）に取着するように構成した請求項１又は２記載の足上面安全保護具。
【請求項７】
上記取着手段（５０）は、
靴（２８）に巻付け状とする巻付取付用ベルト（７）を付設した請求項１，２，３，４，５又は６記載の足上面安全保護具。
【請求項８】
上記硬質樹脂層（１１）は、ポリプロピレンのフラットヤーンを織った織布を、積層、加熱して、圧縮一体化した板材から成る請求項１，２，３，４，５，６又は７記載の足上面安全保護具。
【発明の詳細な説明】
【技術分野】
【０００１】
本発明は、足上面（足甲）を保護するための足上面安全保護具に関する。
【背景技術】
【０００２】
従来、工場等、重量物を扱う場所において、重量物の落下から足を保護するため、内部
のつま先部分に椀型状に成型した鉄板を装備した安全靴と呼ばれる靴が使用されてきた。
また、従来、安全靴として、ゴム製長靴の足上面に硬質の甲プロテクタを被せて、甲プロテクタの前端縁のスリット孔と、後端縁のスリット孔に、別々の第１ベルト、第２ベルトを差込んで、長靴の甲皮の前端と後端（足首前面）に付設した２個の取付リングに、上記第１ベルトと第２ベルトを各々取付ける構造の甲プロテクタ付き安全靴が、提案されている（特許文献１参照）。
【先行技術文献】
【特許文献】
【０００３】
【特許文献１】実用新案登録第３２１９９２３号公報
【発明の概要】
【発明が解決しようとする課題】
【０００４】
しかし、椀型状の鉄板を有する上記安全靴は、つま先部分が固く、かつ重く、また、靴全体も丈夫に作られているため、着用者（作業者）は足の動きが不自由になり、はき心地も固く、足が疲れる原因となっていた。
また、特許文献１記載の安全靴では、長靴自身に（ベルト取付用の）取付リングを予め設けておく必要があり、通常使用している（般用の）靴そのままでは、取着できないという問題があった。かつ、甲プロテクタ自体が硬い一枚板製であって、物に当たった衝撃を十分に吸収できないという問題もあった。
【０００５】
そこで、本発明は、通常の布製や柔らかい革製の（般用の）靴に簡単に装着して使用でき、足の上面（足甲）を確実に保護することができ、使用感がよく、例えば、配送業の配達人等の着用者が動きやすい足上面安全保護具を提供することを目的とする。
【課題を解決するための手段】
【０００６】
本発明に係る足上面安全保護具は、上層の硬質樹脂層と下層の軟質樹脂層の上下２層を有する保護盾部と、上層の表皮と下層の発泡体を有する本体部と、靴への取着手段とを、備え、上記本体部の上面に上記保護盾部を重ね合せて縫着して、二重被覆構造体を形成したものである。
【０００７】
また、硬質樹脂層の１層から成る保護盾部と、上層の表皮と下層の発泡体を有する本体部と、靴への取着手段とを、備え、上記本体部の上面に上記保護盾部を重ね合せて縫着して、二重被覆構造体を形成したものである。
【０００８】
また、上記取着手段は、本体部の後縁部の左右中央位置に取着されて、本体部の裏面の左右中央に沿って前方へ延伸状として配設された取付帯片と、上記裏面の少くとも前後中間乃至前端近傍に形成された面状ファスナ雌部と、該面状ファスナ雌部に係合するように上記取付帯片の少くとも先端に形成された面状ファスナ雄部とを、具備し、上記取付帯片を靴ひもまたはフラップの下を通して、上記面状ファスナ雌部と面状ファスナ雄部を相互に係合止着して、靴の上面に取付けるように構成したものである。
【０００９】
また、上記取着手段は、上面に面状ファスナ雄部を略全面に渡って有すると共に、靴ひも又はフラップの下方に差込まれる独立した取付帯片と、上記本体部の下面の略全面又は少くとも左右中央に沿った帯状領域に設けられた面状ファスナ雌部とを、具備し、上記靴ひも又はフラップを下方と上方から挟圧状に保持して、靴の上面に取付けるように構成したものである。
【００１０】
また、上記取着手段は、上面に面状ファスナ雄部を略全面に渡って有すると共に、後端又は前端が本体部の後縁部又は前縁部に固着されて、靴ひも又はフラップの下方に差込まれる取付帯片と、上記本体部の下面の略全面又は少くとも左右中央に沿った帯状領域に設けられた面状ファスナ雌部とを、具備し、上記靴ひも又はフラップを下方と上方から挟圧状に保持して、靴の上面に取付けるように構成したものである。
【００１１】
また、上記取着手段は、前端が本体部の前縁部に縫着されると共に、後端上面に面状ファスナ雄部を有し、さらに、上面の残部には面状ファスナ雌部が設けられた取付帯片を、有し、上記取付帯片を、靴ひも又はフラップを巻込むように折曲げて、上記面状ファスナ雄部と面状ファスナ雌部の係合にて、取付帯片を閉ループ状態として、上記靴ひも又はフラップに取着するように構成したものである。
【００１２】
また、上記取着手段は、靴に巻付け状とする巻付取付用ベルトを付設したものである。
また、上記硬質樹脂層は、ポリプロピレンのフラットヤーンを織った織布を積層、加熱して、圧縮一体化した板材から成るものである。
【発明の効果】
【００１３】
本発明の足上面安全保護具によれば、通常の布製や革製の靴に簡単に確実に装着できて
、足を有効に保護することができ、使用感がよく、着用者が動きやすく、足の疲れを防止
できる。
【図面の簡単な説明】
【００１４】
【図１】本発明の実施の一形態を示す図であり、（Ａ）は全体斜視図、（Ｂ）は（Ａ）のＡ−Ａ断面図である。
【図２】底面図である。
【図３】足上面安全保護具の取付状態を示す斜視図である。
【図４】足上面安全保護具の取付状態を示す一部断面側面図である。
【図５】足上面安全保護具の取付帯片の取付構造を説明する図であり、（Ａ）は靴ひもを使用する靴の場合を示す平面図、（Ｂ）はフラップを使用する靴の場合を示す平面図である。
【図６】本発明の他の実施の形態を示す斜視図である。
【図７】本体部と保護盾部の構造を示す図であり、（Ａ）は保護盾部が上下２層から成る場合を示す断面図、（Ｂ）は硬質樹脂層の１層から成る場合を示す断面図である。
【図８】本発明のさらに別の実施の形態を示す図であり、（Ａ）は取付帯片が本体部から分離している場合を示す一部断面側面図であり、（Ｂ）及び（Ｃ）は取付帯片が本体部に縫いつけられた場合を示す一部断面側面図である。
【図９】足上面安全保護具の取付状態を示す一部断面側面図である。
【図１０】取付帯片の別の実施の形態を示す図であり、（Ａ）は一部断面側面図、（Ｂ）は取付帯片の面状ファスナを有する側を示す図である。
【図１１】取付帯片の機能を示す図であり、（Ａ）は靴への取付方法を示す側面図であり、（Ｂ）及び（Ｃ）は取付帯片の面状ファスナ雄部と雌部の異なる係合位置を示す側面図である。
【発明を実施するための形態】
【００１５】
以下、図示の実施の形態に基づき本発明を詳説する。
図１（Ａ）に示した実施の形態に於て、本発明の足上面安全保護具（足甲安全保護具）は、本体部１と、その上に重ねた保護盾部２と、かかと用又は足首用のベルト３と、を有する。本体部１と保護盾部２が、被覆カバー本体４０を構成する。図１（Ｂ）は本体部１と保護盾部２の断面を示す。保護盾部２は、上層の硬質樹脂層１１と軟質樹脂層１２を有する。
【００１６】
さらに詳細に説明すると、本体部１は、図７（Ａ）に示すように、内部に発泡体１３を有し、上面には合成皮革層１４を有すると共に、下層に布体１５を有する。保護盾部２は、上層の硬質樹脂層１１と発泡性の軟質樹脂層１２を有する。なお、図７（Ｂ）に示すように、保護盾部２が硬質樹脂層１１のみから成るのもよい。この場合、硬質樹脂層１１が盛り上がるように成形するも好ましい。
【００１７】
図２は、本体部１の底面を示す。本体部１は、取着手段５０を有する。取着手段５０は、例えば、図２に示すように、面状ファスナ雄部５を先端に有する取付帯片４と、本体部１の裏面１０に設けられた面状ファスナ雌部６とから成る。
本体部１の後縁部１Ａに、面状ファスナ雄部５を先端に有する取付帯片（短寸帯体）４が縫着糸２０をもって縫い付けられている。取付帯片（短寸帯体）４の面状ファスナ雄部５は、本体部１の裏面１０に設けられた面状ファスナ雌部６に係合して、図３に示すように、足上面安全保護具を靴２８に取付ける。ベルト３は、靴２８のかかと部分、または（図示省略するが）着用者の足首背面部分を保持する。
【００１８】
図４及び図５（Ａ）に示すように、取付帯片４は、面状ファスナ雄部５が靴２８上面に出るように、足上面安全保護具が取付けられる靴２８の靴ひも３０の下に挿入される。その後、上方より本体部１を降ろして、本体部１の下面に設けられた面状ファスナ雌部６に面状ファスナ雄部５を係合させて足上面安全保護具を靴２８に取付ける。
【００１９】
本発明の足上面安全保護具が取付けられる靴２８は、靴ひも式以外にも、面状ファスナ
式フラップを使用して履くものがある。図５（Ｂ）に示すように、フラップ３０Ａを使用する靴２８の場合は、フラップ３０Ａで取付帯片４を取付ける。
【００２０】
なお、取付帯片４は、靴ひも３０の下を通りやすい、若干のコシのある素材で構成されることが望ましく、人工皮革、合成皮革、低発泡素材等の中から選択できる。また、取付帯片４は、靴２８への取付けを容易にし、同時に靴２８への取付け安定性を考慮して、１５〜３２mmの幅を有することが望ましい。
【００２１】
上述の図２，図４では、本体部１の足首側の後縁部１Ａに、取付帯片４の基端部が縫い付けられている状態を図示したが、これとは逆に、本体部１のつま先側の前縁部１Ｂに、取付帯片４の基端部が縫い付けられているもよい。この場合、取付帯片４を、靴２８のつま先側から靴ひも３０の下に挿入して、足首側において面状ファスナ雌部６に面状ファスナ雄部５を係合させて足上面安全保護具を靴２８に取付ける。
なお、この図４，図５の場合にあっても、ベルト３を付設しておくのが好ましい。本体部１と保護盾部２から成る被覆カバー本体４０が、前方及び左右へ、足甲の上を移動することを減少乃至阻止できるからである。
【００２２】
図６に示す第２の実施形態では、上述の実施形態における面状ファスナ雌部６と面状フ
ァスナ雄部５を使用せず、取付用ベルト７により足上面安全保護具が取付けられる。この
第２の実施形態は、靴ひも３０を使用しないかかと付の靴の場合に使用される。取付用ベルト７の靴底にあたる部分は、床面でのスリップを防ぐため、耐摩耗性を有する滑り止め帯を装着することが望ましい。
【００２３】
図７は、本体部１と保護盾部２の内部構造を示す拡大断面図である。
図７（Ａ）に示すように、本体部１は、内部に発泡体１３を有し、合成皮革層１４を上面に有する。保護盾部２は、上層の硬質樹脂層１１と下層の（発泡性の）軟質樹脂層１２を有する。本体部１の裏面は、ポリエステル，ナイロン等の合成繊維の生地（布体）１５で覆われる。
なお、図７（Ｂ）に示すように、保護盾部２は、硬質樹脂層１１の１層のみから成るもよい。
【００２４】
保護盾部２の硬質樹脂層１１は、ポリプロピレンのフラットヤーンを織った織布を積層、加熱して、圧縮一体化した素材（自己強化樹脂）から成り、具体的には、例えばダイヤテックス株式会社のＫａＲＶＯ（登録商標）を使用する。これは、超軽量素材であり、反発性に優れ、破損しにくく、しかもプレス成型や縫製等による加工が容易であり、また、ガラスやカーボンを含まないため、廃棄も容易である。
【００２５】
図８と図９は、さらに別の実施の形態を示す。
図８（Ａ）に示すように、面状ファスナ雌部６が、本体部１の裏面の全面に設けられている。
また、面状ファスナ雄部５が、分離取付自在の取付帯片４Ａの全面に設けられ、しかも、取付帯片４Ａは本体部１に縫いつけられずに分離している。
【００２６】
図９に示すように、本体部１に縫いつけられずに分離状態の取付帯片４Ａを靴ひも３０の下に通して、その後、裏面全面に面状ファスナ雌部６を有する本体部１を上からかぶせて面状ファスナ雄部５と面状ファスナ雌部６を係合させて、靴ひも３０を下方と上方から挟圧状に保持して足上面安全保護具を靴２８に取付ける。本実施形態では、面状ファスナ雄部５と面状ファスナ雌部６との接触面積が広くなり、保護具をより安定して取付けることができる。しかも取付けも容易である。
なお、図８（Ｂ）（Ｃ）に示すように、取付帯片４Ａを本体部１に縫いつけて使用することも可能である。
【００２７】
図１０（Ａ）は、別の実施形態を示す。この実施形態では、取付帯片４Ｂが、本体部１の先端、すなわち着用時に靴のつま先に対応する部分に縫い付けられており、図１０（Ｂ）に示すように、後端部（固定されていない側の端部）の上面に面状ファスナ雄部５を有し、上面の残部には面状ファスナ雌部６を設けている。
【００２８】
図１１（Ａ）に、取付帯片４Ｂの使用方法を示す。靴ひも３０（又はフラップ３０Ａ）に取付帯片４Ｂを通して、その後、取付帯片４Ｂを、靴ひも３０（又はフラップ３０Ａ）を巻込むように折り曲げて、面状ファスナ雄部５を面状ファスナ雌部６の任意の位置で係合させ、閉ループ状態として、靴ひも３０（又はフラップ３０Ａ）に取着する。図１１（Ｂ）（Ｃ）に示すように、面状ファスナ雄部５の係合位置を変えることで、靴のつま先の長さが異なる場合にも、本体部１の先端を靴のつま先の先端に合わせて着用でき、靴上面の全体を効果的に保護することができる。
【００２９】
本発明は、上述の実施形態に限定されず、発明の必須の特徴事項から逸脱しない限り、
設計変更可能である。
【００３０】
上述のように、本発明は、上層の硬質樹脂層１１と下層の軟質樹脂層１２の上下２層を有する保護盾部２と、上層の表皮１４と下層の発泡体１３を有する本体部１と、靴２８への取着手段５０とを、備え、上記本体部１の上面に上記保護盾部２を重ね合せて縫着して、二重被覆構造体を形成したので、効果的に足を保護することができる。
【００３１】
また、硬質樹脂層１１の１層から成る保護盾部２と、上層の表皮１４と下層の発泡体１３を有する本体部１と、靴２８への取着手段５０とを、備え、上記本体部１の上面に上記保護盾部２を重ね合せて縫着して、二重被覆構造体を形成したので、効果的に足を保護することができる。
【００３２】
また、上記取着手段５０は、本体部１の後縁部１Ａの左右中央位置に取着されて、本体部１の裏面１０の左右中央に沿って前方へ延伸状として配設された取付帯片４と、上記裏面１０の少くとも前後中間乃至前端近傍に形成された面状ファスナ雌部６と、該面状ファスナ雌部６に係合するように上記取付帯片４の少くとも先端に形成された面状ファスナ雄部５とを、具備し、上記取付帯片４を靴ひも３０またはフラップ３０Ａの下を通して、上記面状ファスナ雌部６と面状ファスナ雄部５を相互に係合止着して、靴２８の上面に取付けるように構成したので、通常の布製の靴に簡単にまた確実に装着できて、効果的に足を保護することができ、使用感がよく、着用者が動きやすく、足の疲れを防止できる。
【００３３】
また、上記取着手段５０は、上面に面状ファスナ雄部５を略全面に渡って有すると共に、靴ひも３０又はフラップ３０Ａの下方に差込まれる独立した取付帯片４Ａと、上記本体部１の下面の略全面又は少くとも左右中央に沿った帯状領域に設けられた面状ファスナ雌部６とを、具備し、上記靴ひも３０又はフラップ３０Ａを下方と上方から挟圧状に保持して、靴２８の上面に取付けるように構成したので、通常の布製の靴に簡単にまた確実に装着できて、効果的に足を保護することができ、使用感がよく、着用者が動きやすく、足の疲れを防止できる。
【００３４】
また、上記取着手段５０は、上面に面状ファスナ雄部５を略全面に渡って有すると共に、後端又は前端が本体部１の後縁部１Ａ又は前縁部１Ｂに固着されて、靴ひも３０又はフラップ３０Ａの下方に差込まれる取付帯片４Ａと、上記本体部１の下面の略全面又は少くとも左右中央に沿った帯状領域に設けられた面状ファスナ雌部６とを、具備し、上記靴ひも３０又はフラップ３０Ａを下方と上方から挟圧状に保持して、靴２８の上面に取付けるように構成したので、通常の布製の靴に簡単にまた確実に装着できて、効果的に足を保護することができ、使用感がよく、着用者が動きやすく、足の疲れを防止できる。
【００３５】
また、上記取着手段５０は、前端が本体部１の前縁部１Ｂに縫着されると共に、後端上面に面状ファスナ雄部５を有し、さらに、上面の残部には面状ファスナ雌部６が設けられた取付帯片４Ｂを、有し、上記取付帯片４Ｂを、靴ひも３０又はフラップ３０Ａを巻込むように折曲げて、上記面状ファスナ雄部５と面状ファスナ雌部６の係合にて、取付帯片４Ｂを閉ループ状態として、上記靴ひも３０又はフラップ３０Ａに取着するように構成したので、靴２８のつま先長さが異なる場合でも、面状ファスナ雄部５の係合位置を変えることで、本体部１の先端を靴２８のつま先に合わせて着用でき、足上面をより効果的に保護できる。
【００３６】
また、上記取着手段５０は、靴２８に巻付け状とする巻付取付用ベルト７を付設しているので、靴ひもまたはフラップを有さない靴にも簡単にまた確実に装着できて、効果的に足を保護することができ、使用感がよく、着用者が動きやすく、足の疲れを防止できる。
【００３７】
また、上記硬質樹脂層１１は、ポリプロピレンのフラットヤーンを織った織布を積層、加熱して、圧縮一体化した板材から成るので、効果的に足を保護することができ、使用感がよく、着用者が動きやすく、足の疲れを防止できる。
【符号の説明】
【００３８】
１  本体部
２  保護盾部
３  ベルト
４  取付帯片
４Ａ  取付帯片
４Ｂ  取付帯片
５  面状ファスナ雄部
６  面状ファスナ雌部
７  取付用ベルト
１０  裏面
１１  硬質樹脂層
１２  軟質樹脂層
１３  発泡体
２８  靴
３０  靴ひも
３０Ａ  フラップ
【図１】
0006950982.tif 000002
【図２】
0006950982.tif 000003
【図３】
0006950982.tif 000004
【図４】
0006950982.tif 000005
【図５】
0006950982.tif 000006
【図６】
0006950982.tif 000007
【図７】
0006950982.tif 000008
【図８】
0006950982.tif 000009
【図９】
0006950982.tif 000010
【図１０】
0006950982.tif 000011
【図１１】
0006950982.tif 000012